(57)【要約】【課題】  ポール状のカーテンレール（１）と、そのカーテンレールに通した一列のリングランナー（２）と、各リングランナーに設けたカーテン吊り具（３）とからなり、リングランナー（２）は容易にカーテンレール長手方向に垂直な姿勢となる装飾カーテンレール装置において、製造コストを低減する。【解決手段】  カーテンレール（１）が複数点接触、線接触、面接触のいずれかによりリングランナー（２）を支持するように、カーテンレール（１）を形成した。図１に示す実施例のカーテンレール（１）は、横から見ると、円形外周面頂部に切除部（４）を有する形状であり、その切除部の前後両縁部はリングランナー（２）の内周面と二点接触する。【選択図】        図１
2004230153.tif 000002
【特許請求の範囲】
【請求項１】
ポール状のカーテンレールと、前記カーテンレールに通した一列のリングランナーと、各リングランナーに設けたカーテン吊り具とからなる装飾カーテンレール装置において、前記リングランナーが容易に前記カーテンレール長手方向に垂直な姿勢となるように、前記カーテンレールは、複数点接触、線接触、面接触のいずれかにより、前記リングランナーを支持することを特徴としてなる装飾カーテンレール装置。
【請求項２】
カーテンレールは、側面から見ると、円形外周面頂部に切除部を有する形状であり、前記切除部は前後両縁部においてリングランナー内周面と二点接触することを特徴としてなる請求項１に記載の装飾カーテンレール装置。
【請求項３】
カーテンレールは、側面から見ると、円形外周面頂部の前後から凸条が突出する形状であり、前後の前記凸条はリングランナー内周面と二点接触することを特徴としてなる請求項１に記載の装飾カーテンレール装置。
【請求項４】
カーテンレールは、側面から見ると、円形外周面頂部の前後から凸条が突出する形状であり、前記カーテンレール外周面頂部と前後の前記凸条は、リングランナー内周面と三点接触することを特徴としてなる請求項１に記載の装飾カーテンレール装置。
【請求項５】
リングランナーは、側面から見ると、円形内周面頂部に溝部を有する形状であり、前記溝部は前後両縁部において前記カーテンレール外周面と二点接触することを特徴としてなる請求項１に記載の装飾カーテンレール装置。
【請求項６】
リングランナーは、側面から見ると、内周面頂部の前後から突起が突出する形状であり、前記リングランナーの内周面頂部と前後の前記突起は前記カーテンレール外周面と三点接触することを特徴としてなる請求項１に記載の装飾カーテンレール装置。
【請求項７】
リングランナーは、側面から見ると、円形内周面上部に内半径がカーテンレールの外半径と同一又は僅かに大きい円弧状溝部を有する形状であり、前記円弧状溝部は前記カーテンレール外周面と面接触することを特徴としてなる請求項１に記載の装飾カーテンレール装置。
【請求項８】
リングランナーは、横断面において内周面中央に表面が平坦又は溝状の環状面を有し、カーテンレール外周面と前記平坦環状面は線接触し、前記溝状環状面は両側縁部が二点接触することを特徴としてなる請求項１に記載の装飾カーテンレール装置。
【請求項９】
リングランナーは、内周面が横断面形のカーテンレールの外周面と二点接触する形状の楕円形又は卵形もしくはおむすび形であることを特徴としてなる請求項１に記載の装飾カーテンレール装置。
【請求項１０】
リングランナーは、閉環状の外周部と、前記外周部の内周面に刻設された環状溝に装着される開環状の内周部とからなることを特徴としてなる請求項５ないし９のいずれか１つに記載の装飾カーテンレール装置。
【請求項１１】
リングランナーは、カーテン吊り具を設ける下半部の重量が上半部の重量よりも大きいことを特徴としてなる請求項５ないし１０のいずれか１つに記載の装飾カーテンレール装置。
【請求項１２】
リングランナーは、内径の中心が外径の中心よりも上に位置することを特徴としてなる請求項１１に記載の装飾カーテンレール装置。
【請求項１３】
リングランナーは、側面から見ると、下半部内周面は、半径一定の曲線であり、上半部内周面は、半径が頂部から前後方向に回るにつれて下半部と同程度の半径から順次増大し次いで順次減少して下半部の半径と同じになる曲線であることを特徴としてなる請求項１１又は１２に記載の装飾カーテンレール装置。
【請求項１４】
カーテン吊り具は、リングランナーに別体として取り付けられ、前記カーテン吊り具のカーテンフックを掛ける吊り輪は、前記リングランナーの底部を通る鉛直軸を中心に回転自在であることを特徴としてなる請求項１ないし１３のいずれか１つに記載の装飾カーテンレール装置。
【請求項１５】
カーテン吊り具は、リングランナーに別体として取り付けられ、前記カーテン吊り具のカーテンフックを掛ける吊り輪は、前記リングランナーの底部の横断面を中心に回転自在であるが、周方向摺動は制限されていることを特徴としてなる請求項１ないし１３のいずれか１つに記載の装飾カーテンレール装置。
【請求項１６】
カーテンフックは、リングランナーのカーテン吊り具に掛けるランナーフックとカーテンの上縁部に掛けるカーテンフックからなり、前記カーテンフックは前記ランナーフックの上下孔に揺動自在に取り付けられることを特徴としてなる請求項１ないし１５のいずれか１つに記載の装飾カーテンレール装置。
【発明の詳細な説明】
【技術分野】
【０００１】
本発明は、ポール状のカーテンレールと、そのカーテンレールに通した一列のリングランナーと、各リングランナーに設けたカーテン吊り具とからなる装飾カーテンレール装置に関する。
【背景技術】
【０００２】
装飾カーテンレール装置のカーテンレールは、ポール状であり、断面円形のものが多い。ポール状のカーテンレールに一列のリングランナーを通し、各ランナーのカーテン吊り具にカーテン生地の上縁部に取り付けたカーテンフックを掛けてカーテン生地を吊り下げる。
【０００３】
通常のリングランナーは、横断面が円形であり、内周面頂部がカーテンレール外周面頂部と一点接触するため、姿勢が不定であった。このため、一列のリングランナーの姿勢が、カーテン生地の動きに影響されて不揃いとなり、カーテンの意匠性が損なわれるという問題があった。また、リングランナーの側面がカーテンレール長手方向に対して斜めになると、走行抵抗が大きく、カーテンの開閉が不円滑になるという問題があった。
【０００４】
これらの問題を解決する装飾性カーテンレール装置として、通常のリングランナーの上部内周面にカーテンレール外周面上を摺動又は転動する部材を設ける発明が、特開２０００−１６６７５３号公報、特開２００１−９５６７６号公報に開示されている。前者は、木製ポールと木製リングランナーを組み合わせたカーテンレール装置に関するものであり、木製リングランナーの走行性を向上するため、木製リングランナー内周面に滑動体を設けるが、意匠性向上の思想はない。後者は、リングランナー内周面に転動体を内設して走行性及び意匠性を向上するとしているが、その意匠性は、転動体が目立たないように処理することにすぎない。しかし、両者は共に、リングランナー上部内周面に滑動又は転動する部材を設けるため、製造コストが高いだけでなく、リングランナーはカーテンレール長手方向に垂直な姿勢を常に保持するとは限らないため、意匠性の向上は期待できない。
【０００５】
一列のリングランナーの半数を摺動又は転動部材を設けたものとし、残りの半数を従来のものとすれば、装飾性カーテンレール装置全体の価格上昇は僅かですみ、リングランナーの姿勢不揃いも目立たず、開閉が不円滑になることもない。しかしながら、このリングランナーは、上部内周面に設けた摺動又は転動部材を介してカーテンレールと二点接触するため、内周面頂部の位置がカーテンレール外周面頂部よりも高くなるから、従来のリングランナーに摺動又は転動部材を設けたものと従来のリングランナーを混用するとリングランナーの高さが不揃いになり、カーテンの意匠性が損なわれる。
【特許文献１】特開２０００−１６６７５３号公報
【特許文献２】特開２００１−９５６７６号公報
【発明の開示】
【発明が解決しようとする課題】
【０００６】
本発明は、上記問題を解決するためになされたものであり、その課題は、ポール状のカーテンレールと、カーテンレールに通した一列のリングランナーと、各リングランナーに設けたカーテン吊り具とからなる装飾カーテンレール装置であって、意匠性を、リングランナーが常にカーテンレール長手方向に垂直な姿勢を保持するように向上させたものを低コストで提供することにある。
【課題を解決するための手段】
【０００７】
前記課題を解決するため、本発明が採用する手段は、ポール状のカーテンレールと、カーテンレールに通した一列のリングランナーと、各リングランナーに設けたカーテン吊り具とからなる装飾カーテンレール装置において、リングランナーが容易にカーテンレール長手方向に垂直な姿勢となるように、カーテンレールが、複数点接触、線接触、面接触のいずれかにより、リングランナーを支持するようにしたことにある。
【発明の効果】
【０００８】
本発明のポール状のカーテンレールと、カーテンレールに通した一列のリングランナーと、各リングランナーに設けたカーテン吊り具とからなる装飾カーテンレール装置は、従来のカーテンレール外周面とリングランナー内周面が一点接触するものに比べると、リングランナーは容易にカーテンレール長手方向に垂直な姿勢となり、カーテンの意匠性が損なわれるおそれも、カーテンの開閉操作に支障を生じるおそれも解消する。
【発明を実施するための最良の形態】
【０００９】
本発明のポール状のカーテンレールと、カーテンレールに通した一列のリングランナーと、各リングランナーに設けたカーテン吊り具とからなる装飾カーテンレール装置において、リングランナーが横断面円形の場合、カーテンレールは、横から見ると、円形外周面頂部に切除部を有する形状または円形外周面頂部の前後から凸条が突出する形状とすることが好ましい。このカーテンレールは、横断面円形のリングランナーを通すと、切除部の前後両縁部または前後の凸条がリングランナーの内周面と二点接触するから、リングランナーは容易にカーテンレール長手方向に垂直な姿勢となる。カーテンレールの前後の凸条が外周面頂部とともに、リングランナー内周面と三点接触するようにすると、リングランナーのカーテンレール長手方向に垂直な姿勢はより安定する。
【００１０】
カーテンレールが横断面円形の場合、リングランナーは、横から見ると、円形内周面頂部に溝部を有する形状または内周面頂部の前後から突起が突出する形状とすることが好ましい。前者は、横断面円形のカーテンレールに通すと、溝部の前後両縁部がカーテンレール外周面と二点接触し、後者は内周面頂部と前後突起がカーテンレール外周面と三点接触するから、リングランナーは容易にカーテンレール長手方向に垂直な姿勢となる。
【００１１】
又、リングランナーは、横から見ると、円形内周面上部に内半径が前記カーテンレールの外半径と同一又は僅かに大きい円弧状溝部を有する形状とすることもできる。このリングランナーは、横断面円形のカーテンレールに通すと、円弧状溝部はカーテンレール外周面と面接触するから、リングランナーは容易にカーテンレール長手方向に垂直な姿勢となる。
【００１２】
さらに、リングランナーの内周面中央に表面が横断面において平坦又は溝状の環状面を形成してもよい。このリングランナーは、横断面円形のカーテンレールに通すと、平坦な環状面はカーテンレール外周面と線接触し、溝状の環状面は、その両側縁部がカーテンレール外周面と二点接触するから、リングランナーは容易にカーテンレール長手方向に垂直な姿勢となる。
【００１３】
さらに、リングランナーの外形を楕円形、又は卵形、もしくはおむすび形として内周面を横断面円形のカーテンレール外周面と二点接触させると、リングランナーは容易にカーテンレール長手方向に垂直な姿勢となる。
【００１４】
上記のカーテンレール及びリングランナーの形状は、内周面頂部の前後から突起が突出して内周面頂部と前後突起がカーテンレール外周面と三点接触する形状のリングランナーを除くと、いずれも加工が容易であるから、本発明の装飾カーテンレール装置の製造コストは比較的低廉である。
【００１５】
従来リングランナーを円形内周面頂部の前後から突起が突出する形状に加工するコストは比較的高価であるが、加工した従来リングランナーは、内周面頂部がカーテンレール外周面頂部と点接触するから、未加工の従来リングランナーと同じ高さであり、従来の未加工リングランナーと混用することができる。したがって、装飾カーテンレール装置全体としてのコストはそれほど高くない。
【００１６】
内周面の加工を容易にするために、リングランナーを、閉環状の外周部と、その外周部の内周面に刻設される環状溝に装着される開環状の内周部とからなる２体構造としてもよい。
【００１７】
リングランナーのカーテン吊り具を設ける下半部を上半部よりも重くすると、リングランナーをカーテンレールに通したとき、リングランナーが自然に回転して常にカーテン吊り具が最下端に位置する姿勢となり、カーテンフックをカーテン吊り具にかける作業が容易になる。
【００１８】
リングランナーの下半部の重量を上半部の重量よりも重くする場合、リングランナーは、内径の中心が外径の中心よりも上に位置する形状とするか、又は、上半部内周面を、半径が頂点から前後方向に回るにつれて下半部内周面と同程度の半径から順次増大し、次いで順次減少して下半部内周面の半径と同じになる形状とするか、もしくは、双方の組み合わせ形状とすることが好ましい。
【００１９】
カーテン吊り具は、リングランナーの底部に鉛直軸中心に回転自在に設けか、又は、リングランナー底部横断面を中心に回転自在に設ける。カーテンに取り付けるカーテンフックは、リング掛けフックと、そのリング掛けフックの上下孔に揺動自在に取り付けるカーテン掛けフックの二体構造とし、リングランナーの姿勢が、カーテン生地の動きに影響されないようにすることが望ましい。
【実施例】
【００２０】
本発明を図面に示す実施例に基づいて説明する。図１及び図２は、本発明装飾カーテンレール装置の第１実施例の部分斜視図及び側面図である。装飾カーテンレールは、丸棒状のカーテンレール１と、そのカーテンレール１に通した一列のリングランナー２と、各リングランナーに設けたカーテン吊り具３とからなる。カーテンレール１は、側面から見ると、円形外周面頂部に平坦な水平面状の切除部４を有する形状である。このカーテンレール１は、横断面円形のリングランナー２を通すと、切除部４の前後両縁部５がリングランナー２の内周面と二点接触するから、リングランナー２は容易にカーテンレール長手方向に垂直な姿勢となる。前後両縁部５は丸みを付け、リングランナー２の内周面とは凹凸曲面の点接触とする。
【００２１】
カーテンレール１に切除部４を形成する加工は至極容易であり、リングランナー２は従来のままであるから、この装飾カーテンレール装置は、従来のものとほぼ同じコストで製造することができる。
【００２２】
装飾カーテンレール装置にカーテン生地を吊り下げたとき、図１３（ａ）の第１実施例は、各リングランナー２が揃ってカーテンレール１の長手方向に対して垂直な姿勢をとるから、各リングランナー２７がカーテンレール２６の長手方向に対してまちまちの姿勢をとる図１３（ｂ）の従来例に比べると、意匠性は格段に向上する。
【００２３】
次に、図面に示す他の実施例について説明する。図３は、第２実施例のカーテンレールとリングランナーの側面図である。カーテンレール１ａは、側面から見ると、円形外周面頂部に溝状の切除部６を有する形状であり、切除部６前後両縁部７は丸みが付けられている。その余の構成及び効果は、第１実施例と同じである。
【００２４】
図４は、第３実施例のカーテンレールとリングランナーの側面図である。カーテンレール１ｂは、側面から見ると、円形外周面頂部の前後から凸条８が突出する形状である。このカーテンレール１ｂは、横断面円形のリングランナー２ｂを通すと、前後の凸条８がリングランナー２ｂの内周面と二点接触するから、リングランナー２ｂは容易にカーテンレール長手方向に垂直な姿勢となる。カーテンレール１ｂに凸条８を形成する加工は比較的容易であり、リングランナー２は従来のままであるから、この装飾カーテンレール装置のコストは従来のものと大して変わらない。
【００２５】
図５は、第４実施例のカーテンレールとリングランナーの側面図である。カーテンレール１ｃは、側面から見ると、第３実施例と同様に円形外周面頂部の前後から凸条９が突出する形状である。しかし、このカーテンレール１ｃは、横断面円形のリングランナー２ｃを通すと、外周面頂部１０と前後の凸条９がリングランナー２ｃの内周面と三点接触するから、リングランナー２ｃのカーテンレール長手方向に垂直な姿勢はより安定する。
【００２６】
図６は、第５実施例のカーテンレールとリングランナーの側面図である。リングランナー２ｄは、側面から見ると、円形内周面頂部に溝部１１を有する形状であり、横断面円形のカーテンレール１ｄに通すと、溝部１１の前後両縁部１２がカーテンレール外周面と二点接触し、リングランナーは容易にカーテンレール長手方向に垂直な姿勢となる。リングランナー２ｄに溝部１１を形成する加工は比較的容易であり、カーテンレール１ｄは従来のままであるから、この装飾カーテンレール装置のコストは従来のものと大して変わらない。
【００２７】
図７は、第６実施例のカーテンレールとリングランナーの側面図である。リングランナー２ｅは、側面から見ると、内周面頂部の前後からリングランナー２ｅにはめ込んだ突起１３が突出する形状である。このリングランナー２ｅは、横断面円形のカーテンレール１ｅに通すと、内周面頂部１４と前後突起１３がカーテンレール外周面と三点接触するから、リングランナー２ｅのカーテンレール長手方向に垂直な姿勢はより安定する。
【００２８】
図８は、第７実施例のカーテンレールとリングランナーの側面図である。リングランナー２ｆは、側面から見ると、円形内周面上部に内半径が前記カーテンレールの外半径と同一又は僅かに大きい円弧状溝部１５を有する形状である。このリングランナー２ｆは、横断面円形のカーテンレール１ｆに通すと、円弧状溝部１５はカーテンレール外周面と面接触し、容易にカーテンレール長手方向に垂直な姿勢となる。
【００２９】
図９は、第８実施例のカーテンレールとリングランナーのカーテンレール軸心線を含む鉛直断面図である。リングランナー２ｇは、内周面中央に表面が横断面において平坦な環状面１６を有する。このリングランナー２ｇは、横断面円形のカーテンレール１ｇに通すと、平坦な環状面１６はカーテンレール外周面と線接触し、容易にカーテンレール長手方向に垂直な姿勢となる。
【００３０】
図１０は、第９実施例のカーテンレールとリングランナーのカーテンレール軸心線を含む鉛直断面図である。リングランナー２ｈは、内周面中央に表面が横断面において溝状の環状面１７を有する。このリングランナー２ｈは、横断面円形のカーテンレール１ｈに通すと、溝状環状面１７は両側縁部１８がカーテンレール外周面と二点接触し、容易にカーテンレール長手方向に垂直な姿勢となる。
【００３１】
図１１は、第１０実施例のリングランナーの部分断面側面図である。カーテン吊り具３ｉは、リングランナー２ｉの底部を貫通する頭付き鉛直軸１９と、その鉛直軸１９の下端部に取り付けた吊り輪２０とからなる。リングランナー２ｉに対して鉛直軸１９を回転自在とするか、又は、鉛直軸１９を中心に吊り輪２０を回転自在とする。このリングランナー２ｉは、カーテンフックを掛ける吊り輪２０が、リングランナー２ｉに対して鉛直軸１９を中心にカーテン生地の動きに合わせて自由に回転するから、リングランナー２ｉの姿勢がカーテン生地の動きに影響されるおそれは少ない。
【００３２】
図１２は、第１１実施例のカーテンフックの部分断面側面図である。カーテンフック２１は、リングランナー２ｊのカーテン吊り具３ｊに掛けるランナー掛けフック２２と、カーテン生地の上縁部に掛けるカーテン掛けフック２３とからなる。カーテン掛けフック２３は、片足２４をランナー掛けフック２２の上下孔２５に通してランナー掛けフック２２と結合する。このカーテンフック２１のカーテン掛けフック２３は、ランナー掛けフック２２の上下孔２５を中心にカーテン生地の動きに合わせて自由に揺動するから、リングランナー２ｊの姿勢がカーテン生地の動きに影響されるおそれは少ない。
【００３３】
図１４及び図１５は、第１２実施例のリングランナーの側面図及び鉛直断面図である。
リングランナー２ｋは、閉環体の外周部２８と、その外周部２８の内周面に刻設した環状溝２９に装着した開環体の内周部３０とからなる二体構造である。内周部３０の頂部先端は開いて溝部３１を形成し、その前後両縁部３２が円筒形のカーテンレール１ｋの外周面と二点接触する。
【００３４】
カーテン吊り具３ｋのＣ字形取付部３３を、外周部２８の底部と内周部３０の環状溝２９から突出する内底部に形成した軸方向溝３４に外嵌する。カーテン吊り具３ｋの吊り輪２０は、リングランナー２ｋの底部横断面を中心に回転自在であるが、周方向には摺動不能である。
【００３５】
リングランナー２ｋは、内周部３０の中心が外周部２８の中心より距離Ｋだけ上に位置するため、重量は上半部よりも下半部が重い。したがって、リングランナー２ｋをカーテンレール１ｋに通したとき、リングランナー２ｋが自然に回転して常にカーテン吊り具３ｋが最下端に位置する姿勢で整列するから、吊り輪２０にカーテンフックを掛ける作業が容易になる。
【００３６】
図１６は、第１３実施例のリングランナーの側面図である。リングランナー２ｎは、前記実施例と同様に、閉環体の外周部３５と開環体の内周部３６とからなる二体構造であり、円筒形のカーテンレール１ｎの外周面と二点接触する。内周部３６の中心は外周部３５の中心より距離Ｎだけ上に位置する。ただし、距離Ｎは前記実施例の距離Ｋよりも小さい。側面から見ると、内周部３６の下半部内周面は一様な半径の半円であるが、上半部内周面は半径が頂点から前後方向に回るにつれて下半部内周面と同程度の半径から順次増大し、次いで順次減少して下半部内周面の半径と同じになる曲線である。リングランナー２ｎも下半部の重量は上半部よりも大きいから、リングランナー２ｎをカーテンレール１ｎに通したとき、リングランナー２ｎが自然に回転して常にカーテン吊り具３ｎが最下端に位置する姿勢で整列する。
【００３７】
図１７は、第１４実施例のリングランナーの側面図である。リングランナー２ｐは、横断面円形であるが、外形は楕円形であり、その内周面は横断面円筒形のカーテンレール１ｐの上側外周面と二点接触する。この楕円形リングランナー２ｐは、第５実施例のものと同様に、容易にカーテンレール長手方向に垂直な姿勢となる。
【００３８】
図１８は、第１５実施例のリングランナーの側面図である。リングランナー２ｑは、横断面円形であるが、外形は上半部が下半部よりも小さい卵形であり、その内周面は横断面円筒形のカーテンレール１ｑの上側外周面と二点接触する。この卵形リングランナー２ｑは、前記実施例のものと同様に、容易にカーテンレール長手方向に垂直な姿勢となる。
【００３９】
図１９は、第１６実施例のリングランナーの側面図である。リングランナー２ｒは、横断面円形であるが、外形は３角形の角を丸めたおむすび形であり、その内周面は横断面円筒形のカーテンレール１ｒの上側外周面と二点接触する。このおむすび形リングランナー２ｒも、前記実施例のものと同様に、容易にカーテンレール長手方向に垂直な姿勢となる。
【図面の簡単な説明】
【００４０】
【図１】本発明装飾カーテンレール装置第１実施例の部分斜視図、
【図２】第１実施例のカーテンレールとリングランナーの側面図、
【図３】第２実施例のカーテンレールとリングランナーの側面図、
【図４】第３実施例のカーテンレールとリングランナーの側面図、
【図５】第４実施例のカーテンレールとリングランナーの側面図、
【図６】第５実施例のカーテンレールとリングランナーの側面図、
【図７】第６実施例のカーテンレールとリングランナーの側面図、
【図８】第７実施例のカーテンレールとリングランナーの側面図、
【図９】第８実施例のリングランナーのカーテンレール軸心線を含む鉛直断面図、
【図１０】第９実施例のリングランナーのカーテンレール軸心線を含む鉛直断面図、
【図１１】第１０実施例のリングランナーの部分断面側面図、
【図１２】第１１実施例のカーテンフックの部分断面側面図である。
【図１３】カーテン生地を吊り下げた装飾カーテンレール装置の要部正面図であり、（ａ）は実施例を、（ｂ）は従来例をそれぞれ示す。
【図１４】第１２実施例のカーテンレールとリングランナーの側面図、
【図１５】第１２実施例のリングランナーの鉛直断面図、
【図１６】第１３実施例のカーテンレールとリングランナーの側面図、
【図１７】第１４実施例のカーテンレールとリングランナーの側面図、
【図１８】第１５実施例のカーテンレールとリングランナーの側面図、
【図１９】第１６実施例のカーテンレールとリングランナーの側面図。
【符号の説明】
【００４１】
１、１ａ−ｋ、ｎ、ｐ−ｒ：  カーテンレール
２、２ａ−ｋ、ｎ、ｐ−ｒ：  リングランナー
３、３ｉ−ｋ、ｎ：  カーテン吊り具
４：  切除部
５：  縁部
６：  切除部
７：  縁部
８、９：  凸条
１０：外周面頂部
１１：溝部
１２：縁部
１３：突起
１４：内周面頂部
１５：円弧状溝部
１６、１７：環状面
１８：縁部
１９：鉛直軸
２０：吊り輪
２１：カーテンフック
２２：ランナー掛けフック
２３：カーテン掛けフック
２４：片足
２５：上下孔
２６：カーテンレール（従来例）
２７：リングランナー（従来例）
２８：外周部
２９：環状溝
３０：内周部
３１：溝部
３２：縁部
３３：取付部
３４：軸方向溝
３５：外周部
３６：内周部
【図１】
2004230153.tif 000003
【図２】
2004230153.tif 000004
【図３】
2004230153.tif 000005
【図４】
2004230153.tif 000006
【図５】
2004230153.tif 000007
【図６】
2004230153.tif 000008
【図７】
2004230153.tif 000009
【図８】
2004230153.tif 000010
【図９】
2004230153.tif 000011
【図１０】
2004230153.tif 000012
【図１１】
2004230153.tif 000013
【図１２】
2004230153.tif 000014
【図１３】
2004230153.tif 000015
【図１４】
2004230153.tif 000016
【図１５】
2004230153.tif 000017
【図１６】
2004230153.tif 000018
【図１７】
2004230153.tif 000019
【図１８】
2004230153.tif 000020
【図１９】
2004230153.tif 000021